(57)【特許請求の範囲】
【請求項１】
所定の遊技条件が成立したときに、遊技盤面上を落下する遊技球の受け入れが容易となる可変入球装置を備えた遊技機において、
前記可変入球装置は、
遊技盤面上を落下する遊技球が入球可能な第１の入球口と、
前記第１の入球口の上方であって該第１の入球口の両端各々の垂直線上に配置される一対の誘導凸部と、
前記第１の入球口の左右に配置される一対の羽根部材と、
前記一対の羽根部材を作動させるための電気的駆動手段とを含み、
前記可変入球装置の左右両側には、遊技盤面上を落下する遊技球が入球可能な第２の入球口が各々設けられており、
前記電気的駆動手段が前記一対の羽根部材を作動させないときには、前記一対の羽根部材が前記両端各々の垂直線と直交する水平線に対して略垂直状となり、前記一対の羽根部材と前記第１の入球口との間に遊技球が落下するスペースを形成して、前記一対の誘導凸部の間を通過しない遊技球が前記第１の入球口に入球する可能性を低くするとともに、前記可変入球装置の左右両側であって前記一対の羽根部材と前記第２の入球口との間に遊技球が落下するスペースを形成して、遊技盤面上を落下する遊技球が前記第２の入球口に入球する可能性を低くし、
前記電気的駆動手段が前記一対の羽根部材を略逆ハの字状となるように作動させたときには、前記一対の羽根部材と前記第１の入球口との間に落下する遊技球を前記第１の入球口に誘導して、遊技盤面上を落下する遊技球が前記第１の入球口に入球する可能性を高くするとともに、前記可変入球装置の左右両側であって前記一対の羽根部材と前記第２の入球口との間に遊技球が落下するスペースを形成して、遊技盤面上を落下する遊技球が前記第２の入球口に入球する可能性を低くし、
前記電気的駆動手段が前記一対の羽根部材を略ハの字状となるように作動させたときには、前記一対の羽根部材と前記第２の入球口との間に落下する遊技球を前記第２の入球口に誘導して、遊技盤面上を落下する遊技球が前記第２の入球口に入球する可能性を高くするとともに、前記一対の羽根部材と前記第１の入球口との間に遊技球が落下するスペースを形成して、前記一対の誘導凸部の間を通過しない遊技球が前記第１の入球口に入球する可能性を低くするように構成されていることを特徴とする遊技機。
【発明の詳細な説明】
【０００１】
【産業上の利用分野】
本発明は、所定の遊技条件が成立したとき落下する遊技球を受け入れ易いよう入球口を拡大又は開放する可変入球装置を備えた遊技機に係る。
【０００２】
【従来の技術】
遊技盤面上を落下する遊技球を受け入れ易いよう入球口を拡大又は開放する可変入球装置としては、従来より２つのタイプのものが知られている。
１つは、チューリップ形状の可変入球装置であり、左右一対の羽根を拡大してその内部に遊技球を取り込むものである。
他の１つは、通常アタッカーと呼ばれ、作動させたとき遊技球受け入れ口を遊技盤面上に突出させて遊技球を内部に取り込むものである。
この可変入球装置は、駆動機構や形状等が改良され多くの種類のものが使用されている。
これらの従来技術を示すものとしては、特公昭５９−１５６６４号の「パチンコ機用変動セーフ玉受口器」や特公平３−５２９９５号の「パチンコ機の入賞玉装置」に記載の発明が知られている。
【０００３】
【発明が解決しようとする課題】
しかしながら、前述した可変入球装置は、依然としてチューリップ形状のものとアタッカーと呼ばれるものとの２つのタイプを逸脱するものではなかった。一方、遊技客は、常に斬新なゲーム内容や新規なゲーム機を求める傾向にある。そこで、本出願人は、簡易な構成により斬新で新規な可変入球装置を備えた遊技機を提供することを目的として次のような発明を為したのである。
【０００４】
【課題を解決するための手段】
前記課題を解決するための手段として、請求項１に記載の遊技機は、所定の遊技条件が成立したときに、遊技盤面上を落下する遊技球の受け入れが容易となる可変入球装置を備えた遊技機において、前記可変入球装置は、遊技盤面上を落下する遊技球が入球可能な第１の入球口と、前記第１の入球口の上方であって該第１の入球口の両端各々の垂直線上に配置される一対の誘導凸部と、前記第１の入球口の左右に配置される一対の羽根部材と、  前記一対の羽根部材を作動させるための電気的駆動手段とを含み、前記可変入球装置の左右両側には、遊技盤面上を落下する遊技球が入球可能な第２の入球口が各々設けられており、前記電気的駆動手段が前記一対の羽根部材を作動させないときには、前記一対の羽根部材が前記両端各々の垂直線と直交する水平線に対して略垂直状となり、前記一対の羽根部材と前記第１の入球口との間に遊技球が落下するスペースを形成して、前記一対の誘導凸部の間を通過しない遊技球が前記第１の入球口に入球する可能性を低くするとともに、前記可変入球装置の左右両側であって前記一対の羽根部材と前記第２の入球口との間に遊技球が落下するスペースを形成して、遊技盤面上を落下する遊技球が前記第２の入球口に入球する可能性を低くし、前記電気的駆動手段が前記一対の羽根部材を略逆ハの字状となるように作動させたときには、前記一対の羽根部材と前記第１の入球口との間に落下する遊技球を前記第１の入球口に誘導して、遊技盤面上を落下する遊技球が前記第１の入球口に入球する可能性を高くするとともに、前記可変入球装置の左右両側であって前記一対の羽根部材と前記第２の入球口との間に遊技球が落下するスペースを形成して、遊技盤面上を落下する遊技球が前記第２の入球口に入球する可能性を低くし、前記電気的駆動手段が前記一対の羽根部材を略ハの字状となるように作動させたときには、前記一対の羽根部材と前記第２の入球口との間に落下する遊技球を前記第２の入球口に誘導して、遊技盤面上を落下する遊技球が前記第２の入球口に入球する可能性を高くするとともに、前記一対の羽根部材と前記第１の入球口との間に遊技球が落下するスペースを形成して、前記一対の誘導凸部の間を通過しない遊技球が前記第１の入球口に入球する可能性を低くするように構成されていることを特徴とする。ここで、一対の羽根部材とは、入球口の左右に配置されるものであって、左右対象の成形品が好適であるが、必ずしも左右対象でなくとも良い。入球口とは、遊技球を遊技盤裏面に取り込むものであれば良く、遊技球の入球があれば所定数の遊技球を払い出す所謂入賞口が該当するのは勿論のことながら、入球すると予め定められた図柄を点灯させるアレンジボール遊技機に用いられる入球口等も含む趣旨である。この入球口と前記一対の羽根部材とは、遊技盤面に取り付けられる前に一体の構造物であっても良いし、一体の構造物でなくとも遊技盤上に取り付けられたとき一対の羽根部材が入球口の左右に配置される構成であっても良い。駆動手段とは、一対の羽根部材の双方又は一方を駆動する手段であれば良く、モータやソレノイド等の電気的駆動手段を用いて構成しても良いし、遊技球の自重により機構的に駆動するよう構成しても良い。
【０００５】
【発明の実施の形態】
前記の構成よりなる本発明の遊技機では、駆動手段が駆動したときには、左右一対の羽根部材の双方又は一方が遊技球を受け入れるよう作動し、受け入れた遊技球を入球口に誘導する。即ち、遊技球の入り口を拡大した入球口として働く。一方、駆動手段が駆動しないときには、入球口と左右一対の羽根部材との間は遊技球が落下し、一対の羽根部材は単なる遊技球の障害物として作用する。また、入球口は、入り口の大きさが拡大しない通常の入球口として作用する。
【０００６】
【具体例】
次に、本発明の遊技機に採用される可変入球装置の好適な一具体例を説明する。図１〜図５に示す本具体例の可変入球装置１は、遊技盤２前面に取り付けられる入球部３と前記遊技盤２内及び裏面に位置する駆動部４とに大別される。入球部３は図１及び図３に示されるように、遊技盤２に密着させる取付板５と、一対の羽根部材６及び７と、取付板５の下方の中心付近の入球口８と、その他各種付属部品とにより構成されている。入球口８から入球した遊技球は取付板５裏面に排出されるように構成されている。この入球口８の上部左右端から一対の羽根部材６及び７との最短距離は、本具体例では約１５ｍｍに構成されている。また、取付板５の最上部近辺であって、入球口８の両端の各々の垂直線上には、各々、誘導凸部９及び１０が突設されている。この誘導凸部９、１０間を通過した遊技球は入球口８に入球し易くなる。更に誘導凸部９及び１０と入球口８との中間であって取付板５の両端には、各々、回動軸穴１１及び１２が貫設されている。
【０００７】
羽根部材６及び７には、取付板５に貫設された回動軸穴１１及び１２に対応する回動軸１３及び１４が各々固着されており、これら回動軸１３及び１４は回動軸穴１１及び１２の各々に挿入される。尚、回動軸穴１１及び１２は回動軸１３及び１４の直径より若干大きく形成されており、回動軸穴１１及び１２に挿入された回動軸１３及び１４は回動自由となる。
【０００８】
遊技盤２裏面に位置する駆動部４は図２及び図３に示されるように取付板５裏面に取り付けられる裏板２０と、回動軸１３及び１４の他端に固着されるカム２１及び２２と、電磁石２３を固定するためのケース２４と、ケース２４内に位置し電磁石２３のオンオフ動作に連動して上下にスライドするスライド板２５と、ケース２４を覆うカバー２６と、その他各種付属部品とにより構成されている。
【０００９】
裏板２０の下方には入球部３の入球口８に対応する球通過路２７が、球通過路２７上方の両端には入球部３の回動軸１３及び１４の各々に対応する回動軸穴２８及び２９が貫設されている。球通過路２７は入球部３の入球口８に入球した遊技球を裏板２０裏面に排出させるように構成されている。回動軸穴２８及び２９は回動軸１３及び１４の直径より若干大きく形成されていて、回動軸穴２８及び２９の各々に挿入される回動軸１３及び１４は回動自由となる。また、裏板２０の裏面の両端の各々にはスペーサー３０及び３１が突設されている。
この裏板２０は入球部３の取付板５裏面に固着されるが、その際、取付板５裏面側に貫通している入球口８と裏板２０の球通過路２７とを整合させ、取付板５の回動軸穴１１及び１２と裏板２０の回動軸穴２８及び２９と整合させて固着される。また、取付板５の回動軸穴１１及び１２の各々に挿入された回動軸１３及び１４は裏板２０の回動軸穴２８及び２９の各々に挿入される。この時、羽根部材６及び７は取付板５面に若干の余裕をもって近接され、回動軸１３及び１４の他端は裏板２０の裏面方向に突出されている。更に、回動軸１３及び１４の他端の各々にはカム２１及び２２が固着される。尚、このカム２１及び２２の各々には軸ピン２１ａ及び２２ａが突設されている。
【００１０】
電磁石２３の底面中心には円筒状の空洞部２３ａが設けられており、空洞部２３ａからコイルバネ３２を介してプランジャー３３が突出後退自由に挿入される。尚、プランジャー３３最下部にはフランジ３３ａが形成されている。
また、スライド板２５の裏面下部には嵌合凹部３４が、正面上部両端には各々軸受部３５及び３６が設けられている。
ケース２４の両端にはスライド板２５を移動させるためのスライド溝３７及び３８が各々設けられており、このケース２４内には電磁石２３が固着される。この時、スライド板２５は軸受部３５及び３６を除いてはケース内２４に位置しており、ケース２４の両端のスライド溝３７及び３８から下にはカバー２６が固着される。
この状態においてはスライド板２５の軸受部３５及び３６は各々スライド溝３７及び３８上に位置しており、スライド溝３７及び３８上を上下に移動可能である。
【００１１】
前記回動軸１３及び１４の他端の各々に取り付けられたカム２１及び２２に突設されている軸ピン２１ａ及び２２ａはスライド板２５の軸受部３５及び３６の各々に挿入される。また、前記裏板２０裏面のスペーサー３０及び３１はカバー２６に固着される。尚、スペーサー３０及び３１によって裏板２０とカバー２６との間に形成された空間は、裏板２０の球通過路２７を経て裏板２０裏面に排出されてきた遊技球が下方に落下可能な距離に保たれている。
【００１２】
上記構成の可変入球装置１は、電磁石２３がオフの時、図３（ａ）に示されるようにプランジャー３３は下方に突出し、同時にスライド板２５もケース２４の最下部に待機した状態になっており、羽根部材６及び７は図４（ａ）に示すように略垂直になるように調整されている。この時、上方から羽根部材６，７間に向かって落下してきた遊技球は取付板５の誘導凸部９，１０間を通過しなければ入球口８には入球する可能性は低く、入球口８の左右を落下する。
【００１３】
電磁石２３をオンにすると図３（ｂ）に示されるように電磁石２３の吸引力によりプランジャー３３が上動し、同時にプランジャー３３のフランジ３３ａに嵌合されているスライド板２５も上動する。すると、スライド板２５の軸受部３５及び３６に挿入されている軸ピン２１ａ及び２２ａが各々外側方向に回動し、カム２１及び２２の各々に固着されている回動軸１３及び１４も各々外側方向に回動する。回動軸１３及び１４のこの回動によって羽根部材６及び７は各々の下端部が内側方向に向かうように回動するが、本具体例においては羽根部材６及び７が図４（ｂ）に示されるように略逆ハの字状態となる様にスライド板２５の移動量が制限されている。更に詳しく説明すると羽根部材６は入球口８の最上部左側部に近接した状態となり、羽根部材７は入球口の最上部右側部に近接した状態になる。この結果、羽根部材６及び７によって入球口８の入り口は拡大され、羽根部材６，７間に落下してきた遊技球は入球口８に誘導される。
【００１４】
この可変入球装置１は、図５に示す遊技機４０の遊技盤２の下部中央付近の取付位置に取り付けられるが、前記取付位置には可変入球装置１の取付板５の外周より５ｍｍ程度内側に縮小された大きさの取付穴が貫設されており、可変入球装置１は前記取付穴に挿入され取付板５をビス等によって遊技盤２に螺着させることによって固着される。
また、遊技盤２には周知の可変表示装置４１や入球口４２が備えられており、この可変表示装置４１は３つのＬＥＤ４１ａ〜４１ｃの図柄が各々変動可能に構成されている。本具体例では入球口４２に遊技球が入球すると可変表示装置４１のＬＥＤ４１ａ〜４１ｃの図柄が各々変動し始め、この３つのＬＥＤ４１ａ〜４１ｃの図柄の組み合わせが予め定められた組み合わせとなった時に、電磁石２３が一定の時間オンとなるように構成されている。
尚、遊技盤２には、その他入球口や役物等が設置されているが、これらの図示及び説明は省略する。
【００１５】
以上詳細に説明したように本具体例の可変入球装置１は、電磁石２３をオンにしたときには入球口８の入り口の大きさを拡大した入球口として作用し、電磁石２３をオフとしたときには、入球口８はその入り口の大きさが拡大していない通常の入球口として作用すると共に一対の羽根部材６及び７は単なる遊技球の障害物となる。即ち、１つの装置でありながら、入球口８の入り口の大きさが拡大する可変入球装置としての機能と、通常の入球口８の近辺に遊技球の障害物を備えた装置としての機能とを併せ持つという効果を有する。
【００１６】
尚、本具体例においては、羽根部材６及び７は略逆ハの字状に回動するが、図６に示すように可変入球装置１の左右に入球口４３及び４４の各々を設け、羽根部材６及び７を略ハの字状に回動させて入球口４３及び４４に遊技球を誘導させても良い。また、電磁石２３を複数個設け羽根部材６及び７のいずれか一方のみを回動させ遊技球を誘導させることもできる。即ち、羽根部材６及び７のいずれか片側で遊技球を入球口に誘導したり、羽根部材６及び７の双方で遊技球を入球口に誘導したりするなど、羽根部材６及び７の各々の回動を様々変化させることによって遊技球の入球口への入球率を変化させることが可能となる。尚、本具体例においては、電磁石２３が駆動手段に対応する。
【００１７】
【発明の効果】
請求項１及び請求項２に記載の発明である遊技機は、駆動手段を駆動させたときには入球口の入り口の大きさを拡大した入球口として作用し、駆動手段を駆動しないときには、入球口はその入り口の大きさが拡大しない通常入球口として作用すると共に一対の羽根部材は単なる遊技球の障害物として作用する可変入球装置を備える。即ち、簡易な構成の１つの可変入球装置でありながら、入り口の大きさが拡大する可変入球装置としての機能と、通常の入球口の近辺に遊技球の障害物を備えた装置としての機能とを併せ持つという極めて優れた効果を有する可変入球装置を備える。また、これにより、遊技球の動作に従来にない動きを与えることができ、従来にない斬新なゲーム内容を提供することができるという極めて優れた効果を奏する。更に、一対の羽根部材と入球口との組み合わせを変更すれば、異なる形状又は異なるデザインの装置として用いることができ、遊技客に新規な可変入球装置を備えた遊技機を提供する機会を増大させることができるという優れた効果を有する。
【図面の簡単な説明】
【図１】本具体例の可変入球装置の入球部を示す分解斜視図である。
【図２】本具体例の可変入球装置の駆動部を示す分解斜視図である。
【図３】本具体例の可変入球装置の動作を示す模式図であり、図３（ａ）は電磁石がオフの状態を示し、図３（ｂ）は電磁石がオンの状態を示す断面図である。
【図４】本具体例の可変入球装置の動作を示す模式図であり、図３（ａ）は電磁石がオフの状態を示し、図３（ｂ）は電磁石がオンの状態を示す正面図である。
【図５】本具体例の可変入球装置を取り付けた遊技機を示す正面図である。
【図６】本具体例の可変入球装置の羽根部材を略ハの字状にさせた状態を示す正面図である。
【符号の説明】
１・・・可変入球装置    ２・・・遊技盤          ３・・・入球部
４・・・駆動部          ５・・・取付板          ６，７・・・羽根部材
８，４２，４３，４４・・・入球口        ９，１０・・・誘導凸部
１１，１２，２８，２９・・・回動軸穴    １３，１４・・・回動軸
２０・・・裏盤                          ２１，２２・・・カム
２１ａ，２２ａ・・・軸ピン              ２３・・・電磁石
２３ａ・・・空洞部      ２４・・・ケース        ２５スライド板
２６・・・カバー                        ２７・・・球通過路
３０，３１・・・スペーサー              ３２・・・コイルバネ
３３・・・プランジャー                  ３３ａ・・・フランジ
３４・・・嵌合凹部                      ３５，３６・・・軸受部
３７，３８・・・スライド溝              ４０・・・遊技機
４１・・・可変表示装置
４１ａ，４１ｂ，４１ｃ・・・ＬＥＤ
【図１】
0003809552.tif 000002
【図２】
0003809552.tif 000003
【図３】
0003809552.tif 000004
【図４】
0003809552.tif 000005
【図５】
0003809552.tif 000006
【図６】
0003809552.tif 000007